(57)【要約】本開示の様々な態様は、一般にワイヤレス通信に関する。いくつかの態様では、ユーザ機器（ＵＥ）は、複数の選択可能な物理リソースブロック（ＰＲＢ）バンドルサイズのインジケーションを受信し得る。ＵＥは、複数の選択可能なＰＲＢバンドルサイズから選択されるべきＰＲＢバンドルサイズを示すＰＲＢバンドリングサイズインジケータを含まないダウンリンク制御情報（ＤＣＩ）を受信し得る。ＵＥは、ＤＣＩがＰＲＢバンドリングサイズインジケータを含まないにもかかわらず、複数の選択可能なＰＲＢバンドルサイズからＰＲＢバンドルサイズを選択し得る。多数の他の態様が提供される。【選択図】図５
2021514148.tif 000002
【特許請求の範囲】
【請求項１】
ユーザ機器（ＵＥ）によって実行されるワイヤレス通信の方法であって、
複数の選択可能な物理リソースブロック（ＰＲＢ）バンドルサイズのインジケーションを受信することと、
前記複数の選択可能なＰＲＢバンドルサイズから選択されるべきＰＲＢバンドルサイズを示すＰＲＢバンドリングサイズインジケータを含まないダウンリンク制御情報（ＤＣＩ）を受信することと、
前記ＤＣＩが前記ＰＲＢバンドリングサイズインジケータを含まないにもかかわらず、前記複数の選択可能なＰＲＢバンドルサイズからＰＲＢバンドルサイズを選択することと、
を備える、方法。
【請求項２】
前記選択されたＰＲＢバンドルサイズに従って、ダウンリンクデータと１つまたは複数の関連する基準信号とを処理することをさらに備える、請求項１に記載の方法。
【請求項３】
前記選択されたＰＲＢバンドルサイズに従って、アップリンクデータおよび１つまたは複数の関連する基準信号をプリコーディングし、および送信することをさらに備える、請求項１に記載の方法。
【請求項４】
前記ＤＣＩが、
フォーマット１＿０を有するＤＣＩ、または、
フォーマット１＿１を有するＤＣＩ、のうちの１つであり、ここにおいて、前記ＰＲＢバンドリングサイズインジケータが前記フォーマット１＿１を有するＤＣＩに含まれない、請求項１に記載の方法。
【請求項５】
前記ＰＲＢバンドリングサイズインジケータが、前記ＵＥのために構成された帯域幅部分に起因して、前記フォーマット１＿１を有するＤＣＩに含まれない、請求項４に記載の方法。
【請求項６】
前記ＰＲＢバンドルサイズが、前記ＵＥのメモリ中でハードコーディングされた情報に少なくとも部分的に基づいて選択される、請求項１に記載の方法。
【請求項７】
前記情報が、デフォルトＰＲＢバンドルサイズを示し、前記ＰＲＢバンドルサイズを選択することが、前記デフォルトＰＲＢバンドルサイズを選択することを備える、請求項６に記載の方法。
【請求項８】
前記複数の選択可能なＰＲＢバンドルサイズが、プリコーディングリソースブロックグループ（ＰＲＧ）値の第１のセットと、ＰＲＧ値の第２のセットとを含む、請求項１に記載の方法。
【請求項９】
前記第１のセットが単一のＰＲＧ値を含み、前記第２のセットが単一のＰＲＧ値を含む、請求項８に記載の方法。
【請求項１０】
前記ＵＥが、
前記第１のセットからの前記単一のＰＲＧ値、
前記第２のセットからの前記単一のＰＲＧ値、または、
デフォルトＰＲＧ値、
のうちの１つとして、前記ＰＲＢバンドルサイズを選択する、請求項９に記載の方法。
【請求項１１】
前記ＵＥが、パラメータに少なくとも部分的に基づいて、前記第１のセットからの前記単一のＰＲＧ値または前記第２のセットからの前記単一のＰＲＧ値のいずれかを選択する、請求項９に記載の方法。
【請求項１２】
前記第１のセットが２つのＰＲＧ値を含み、前記第２のセットが単一のＰＲＧ値を含む、請求項８に記載の方法。
【請求項１３】
前記ＵＥが、
前記第２のセットからの前記単一のＰＲＧ値、
前記第１のセットからの前記２つのＰＲＧ値のうちの第１のＰＲＧ値、
前記第１のセットからの前記２つのＰＲＧ値のうちの第２のＰＲＧ値、または、
デフォルトＰＲＧ値、
のうちの１つとして、前記ＰＲＢバンドルサイズを選択する、請求項１２に記載の方法。
【請求項１４】
前記第１のＰＲＧ値が、２または４のＰＲＢバンドルサイズを示す、請求項１３に記載の方法。
【請求項１５】
前記第２のＰＲＧ値が、前記ＤＣＩによってスケジュールされるスケジュールされた帯域幅のサイズに対応するＰＲＢバンドルサイズを示す、請求項１３に記載の方法。
【請求項１６】
前記複数の選択可能なＰＲＢバンドルサイズが、１つまたは複数のプリコーディングリソースブロックグループ（ＰＲＧ）値を含むＰＲＧ値の第１のセットと、単一のＰＲＧ値を含むＰＲＧ値の第２のセットとを含み、前記方法が、前記第２のセットからの前記単一のＰＲＧ値として前記ＰＲＢバンドルサイズを選択することをさらに備える、請求項１に記載の方法。
【請求項１７】
ワイヤレス通信のためのユーザ機器（ＵＥ）であって、
メモリと、
前記メモリに結合された１つまたは複数のプロセッサと、
を備え、
前記メモリおよび前記１つまたは複数のプロセッサが、
複数の選択可能な物理リソースブロック（ＰＲＢ）バンドルサイズのインジケーションを受信することと、
前記複数の選択可能なＰＲＢバンドルサイズから選択されるべきＰＲＢバンドルサイズを示すＰＲＢバンドリングサイズインジケータを含まないダウンリンク制御情報（ＤＣＩ）を受信することと、
前記ＤＣＩが前記ＰＲＢバンドリングサイズインジケータを含まないにもかかわらず、前記複数の選択可能なＰＲＢバンドルサイズからＰＲＢバンドルサイズを選択することと、
を行うように構成された、ＵＥ。
【請求項１８】
前記１つまたは複数のプロセッサが、前記選択されたＰＲＢバンドルサイズに従ってダウンリンクデータと１つまたは複数の関連する基準信号とを処理するようにさらに構成された、請求項１７に記載のＵＥ。
【請求項１９】
前記ＤＣＩが、
フォーマット１＿０を有するＤＣＩ、または、
フォーマット１＿１を有するＤＣＩ、ここにおいて、前記ＰＲＢバンドリングサイズインジケータが前記フォーマット１＿１を有するＤＣＩに含まれない、
のうちの１つである、請求項１７に記載のＵＥ。
【請求項２０】
前記ＰＲＢバンドリングサイズインジケータが、前記ＵＥのために構成された帯域幅部分に起因して、前記フォーマット１＿１を有するＤＣＩに含まれない、請求項１９に記載のＵＥ。
【請求項２１】
前記ＰＲＢバンドルサイズが、前記ＵＥの前記メモリ中でハードコーディングされた情報に少なくとも部分的に基づいて選択される、請求項１７に記載のＵＥ。
【請求項２２】
前記情報が、デフォルトＰＲＢバンドルサイズを示し、前記ＰＲＢバンドルサイズを選択することが、前記デフォルトＰＲＢバンドルサイズを選択することを備える、請求項２１に記載のＵＥ。
【請求項２３】
前記複数の選択可能なＰＲＢバンドルサイズが、１つまたは２つのプリコーディングリソースブロックグループ（ＰＲＧ）値を含むＰＲＧ値の第１のセットと、単一のＰＲＧ値を含むＰＲＧ値の第２のセットとを含む、請求項１７に記載のＵＥ。
【請求項２４】
前記１つまたは複数のプロセッサが、
前記第２のセットからの前記単一のＰＲＧ値、
前記第１のセットからの第１のＰＲＧ値、
前記第１のセットからの第２のＰＲＧ値、または、
デフォルトＰＲＧ値、
のうちの１つとして、前記ＰＲＢバンドルサイズを選択するように構成された、請求項２３に記載のＵＥ。
【請求項２５】
前記１つまたは複数のプロセッサが、前記第２のセットからの前記単一のＰＲＧ値として前記ＰＲＢバンドルサイズを選択するように構成された、請求項２３に記載のＵＥ。
【請求項２６】
ワイヤレス通信のための１つまたは複数の命令を記憶する非一時的コンピュータ可読媒体であって、
前記１つまたは複数の命令が、ユーザ機器（ＵＥ）の１つまたは複数のプロセッサによって実行されると、前記１つまたは複数のプロセッサに、
複数の選択可能な物理リソースブロック（ＰＲＢ）バンドルサイズのインジケーションを受信することと、
前記複数の選択可能なＰＲＢバンドルサイズから選択されるべきＰＲＢバンドルサイズを示すＰＲＢバンドリングサイズインジケータを含まないダウンリンク制御情報（ＤＣＩ）を受信することと、
前記ＤＣＩが前記ＰＲＢバンドリングサイズインジケータを含まないにもかかわらず、前記複数の選択可能なＰＲＢバンドルサイズからＰＲＢバンドルサイズを選択することと、
を行わせる、１つまたは複数の命令を備える、非一時的コンピュータ可読媒体。
【請求項２７】
前記ＤＣＩが、
フォーマット１＿０を有するＤＣＩ、または、
フォーマット１＿１を有するＤＣＩ、ここにおいて、前記ＰＲＢバンドリングサイズインジケータが前記フォーマット１＿１を有するＤＣＩに含まれない、
のうちの１つである、請求項２６に記載の非一時的コンピュータ可読媒体。
【請求項２８】
前記ＰＲＢバンドリングサイズインジケータが、前記ＵＥのために構成された帯域幅部分に起因して、前記フォーマット１＿１を有するＤＣＩに含まれない、請求項２７に記載の非一時的コンピュータ可読媒体。
【請求項２９】
前記ＰＲＢバンドルサイズが、デフォルトＰＲＢバンドルサイズとして選択される、請求項２６に記載の非一時的コンピュータ可読媒体。
【請求項３０】
前記複数の選択可能なＰＲＢバンドルサイズが、１つまたは複数のプリコーディングリソースブロックグループ（ＰＲＧ）値を含むＰＲＧ値の第１のセットと、単一のＰＲＧ値を含むＰＲＧ値の第２のセットとを含み、前記ＵＥが、前記第２のセットからの前記単一のＰＲＧ値として前記ＰＲＢバンドルサイズを選択するように構成される、請求項２６に記載の非一時的コンピュータ可読媒体。
【請求項３１】
ワイヤレス通信のための装置であって、
複数の選択可能な物理リソースブロック（ＰＲＢ）バンドルサイズのインジケーションを受信するための手段と、
前記複数の選択可能なＰＲＢバンドルサイズから選択されるべきＰＲＢバンドルサイズを示すＰＲＢバンドリングサイズインジケータを含まないダウンリンク制御情報（ＤＣＩ）を受信するための手段と、
前記ＤＣＩが前記ＰＲＢバンドリングサイズインジケータを含まないにもかかわらず、前記複数の選択可能なＰＲＢバンドルサイズからＰＲＢバンドルサイズを選択するための手段と、
を備える、装置。
【請求項３２】
前記ＤＣＩが、
フォーマット１＿０を有するＤＣＩ、または、
フォーマット１＿１を有するＤＣＩ、のうちの１つであり、ここにおいて、前記ＰＲＢバンドリングサイズインジケータが前記フォーマット１＿１を有するＤＣＩに含まれない、
請求項３１に記載の装置。
【請求項３３】
前記ＰＲＢバンドリングサイズインジケータが、前記装置のために構成された帯域幅部分に起因して、前記フォーマット１＿１を有するＤＣＩ中に含まれない、請求項３２に記載の装置。
【請求項３４】
前記ＰＲＢバンドルサイズが、デフォルトＰＲＢバンドルサイズとして選択される、請求項３１に記載の装置。
【請求項３５】
前記複数の選択可能なＰＲＢバンドルサイズが、１つまたは複数のプリコーディングリソースブロックグループ（ＰＲＧ）値を含むＰＲＧ値の第１のセットと、単一のＰＲＧ値を含むＰＲＧ値の第２のセットとを含み、前記装置は、前記第２のセットからの前記単一のＰＲＧ値として前記ＰＲＢバンドルサイズを選択するように構成される、請求項３１に記載の装置。
【発明の詳細な説明】
【技術分野】
【０００１】
［米国特許法第１１９条に基づく関連出願の相互参照］
[0001]  本出願は、「TECHNIQUES AND APPARATUSES FOR PHYSICAL RESOURCE BLOCK BUNDLE SIZE SELECTION」と題されて２０１８年２月１６日に出願されたギリシャ特許出願第２０１８０１０００６６号、および「PHYSICAL RESOURCE BLOCK BUNDLE SIZE SELECTION」と題されて２０１９年２月１３日に出願された米国特許出願第１６／２７４，９３２号に対して優先権を主張し、それらはこれによって、参照により本明細書に明示的に組み込まれる。
［本開示の分野］
[0002]  本開示の態様は、一般にワイヤレス通信（wireless communication）に関し、より詳細には、物理リソースブロック（ＰＲＢ：physical resource block）バンドルサイズ（bundle size）選択のための技法および装置に関する。
【背景技術】
【０００２】
[0003]  ワイヤレス通信システムは、電話、ビデオ、データ、メッセージング、およびブロードキャスト等の様々な電気通信サービスを提供するために広く展開されている。典型的なワイヤレス通信システムは、利用可能なシステムリソース（例えば、帯域幅、送信電力および／または同様のもの）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）モバイル規格に対する拡張セットである。
【０００３】
[0004]  ワイヤレス通信ネットワークは、いくつかのユーザ機器（ＵＥ：user equipment）のための通信をサポートすることができるいくつかの基地局（ＢＳ：base station）を含み得る。ユーザ機器（ＵＥ）は、ダウンリンクおよびアップリンクを介して基地局（ＢＳ）と通信し得る。ダウンリンク（または順方向リンク）は、ＢＳからＵＥへの通信リンクを指し、アップリンク（または逆方向リンク）は、ＵＥからＢＳへの通信リンクを指す。本明細書でより詳細に説明されることになるように、ＢＳは、ノードＢ、ｇＮＢ、アクセスポイント（ＡＰ）、無線ヘッド、送信受信ポイント（ＴＲＰ：transmit receive point）、新無線（ＮＲ：new radio）ＢＳ、５ＧノードＢおよび／または同様の名称で呼ばれ得る。
【０００４】
[0005]  上記の多元接続技術は、異なるユーザ機器が都市、国家、地域、さらには地球規模で通信することを可能にする共通プロトコルを提供するために、様々な電気通信規格において採用されている。５Ｇとも呼ばれ得る新無線（ＮＲ）は、第３世代パートナーシッププロジェクト（３ＧＰＰ）によって公表されたＬＴＥモバイル規格に対する拡張セットである。ＮＲは、スペクトル効率を改善し、コストを下げ、サービスを改善し、新しいスペクトルを利用し、ダウンリンク（ＤＬ）上でサイクリックプレフィックス（ＣＰ：cyclic prefix）を用いた直交周波数分割多重（ＯＦＤＭ）（ＣＰ−ＯＦＤＭ）を使用し、アップリンク（ＵＬ）上でＣＰ−ＯＦＤＭおよび／またはＳＣ−ＦＤＭ（例えば、離散フーリエ変換拡散ＯＦＤＭ（ＤＦＴ−ｓ−ＯＦＤＭ）としても知られる）を使用して他のオープン規格とより良く統合すること、ならびにビーム形成、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術におけるさらなる改善の必要性が存在する。好ましくは、これらの改善は、これらの技術を採用する他の多元接続技術および電気通信規格に適用可能であるべきである。
【発明の概要】
【０００５】
[0006]  いくつかの態様では、ユーザ機器（ＵＥ）によって実行されるワイヤレス通信の方法は、複数の選択可能な物理リソースブロック（ＰＲＢ）バンドルサイズのインジケーション（indication）を受信することと、複数の選択可能なＰＲＢバンドルサイズ（selectable PRB bundle sizes）から選択されるべきＰＲＢバンドルサイズを示すＰＲＢバンドリングサイズインジケータ（bundling size indicator）を含まないダウンリンク制御情報（ＤＣＩ：downlink control information）を受信することと、ＤＣＩがＰＲＢバンドリングサイズインジケータを含まないにもかかわらず、複数の選択可能なＰＲＢバンドルサイズからＰＲＢバンドルサイズを選択することとを含み得る。
【０００６】
[0007]  いくつかの態様では、ワイヤレス通信のためのＵＥは、メモリ（memory）と、メモリに動作可能に結合された１つまたは複数のプロセッサ（processor）とを含み得る。メモリおよび１つまたは複数のプロセッサは、複数の選択可能な物理リソースブロック（ＰＲＢ）バンドルサイズのインジケーションを受信することと、複数の選択可能なＰＲＢバンドルサイズから選択されるべきＰＲＢバンドルサイズを示すＰＲＢバンドリングサイズインジケータを含まないダウンリンク制御情報（ＤＣＩ）を受信することと、ＤＣＩがＰＲＢバンドリングサイズインジケータを含まないにもかかわらず、複数の選択可能なＰＲＢバンドルサイズからＰＲＢバンドルサイズを選択することとを行うように構成され得る。
【０００７】
[0008]  いくつかの態様では、非一時的コンピュータ可読媒体（non-transitory computer-readable medium）は、ワイヤレス通信のための１つまたは複数の命令（instruction）を記憶し得る。１つまたは複数の命令は、ＵＥの１つまたは複数のプロセッサによって実行されると、１つまたは複数のプロセッサに、複数の選択可能な物理リソースブロック（ＰＲＢ）バンドルサイズのインジケーションを受信することと、複数の選択可能なＰＲＢバンドルサイズから選択されるべきＰＲＢバンドルサイズを示すＰＲＢバンドルサイズインジケータを含まないダウンリンク制御情報（ＤＣＩ）を受信することと、ＤＣＩがＰＲＢバンドルサイズインジケータを含まないにもかかわらず、複数の選択可能なＰＲＢバンドルサイズからＰＲＢバンドルサイズを選択することと、を行わせ得る。
【０００８】
[0009]  いくつかの態様では、ワイヤレス通信のための装置は、複数の選択可能な物理リソースブロック（ＰＲＢ）バンドルサイズのインジケーションを受信するための手段と、複数の選択可能なＰＲＢバンドルサイズから選択されるべきＰＲＢバンドルサイズを示すＰＲＢバンドリングサイズインジケータを含まないダウンリンク制御情報（ＤＣＩ）を受信するための手段と、ＤＣＩがＰＲＢバンドリングサイズインジケータを含まないにもかかわらず、複数の選択可能なＰＲＢバンドルサイズからＰＲＢバンドルサイズを選択するための手段とを含み得る。
【０００９】
[0010]  態様は、概して、添付の図面および明細書を参照しながら本明細書で実質的に説明され、添付の図面および明細書によって示される、方法、装置、システム、コンピュータプログラム製品、非一時的コンピュータ可読媒体、ユーザ機器、基地局、ワイヤレス通信デバイス、および処理システムを含む。
【００１０】
[0011]  上記では、以下の詳細な説明がよりよく理解され得るように、本開示による例の特徴および技術的利点をある程度広く概説した。さらなる特徴および利点を以下に説明する。開示される概念および特定の例は、本開示の同じ目的を実行するための他の構造を修正または設計するための基礎として容易に利用され得る。そのような同等の構成は、添付の特許請求の範囲の適用範囲から逸脱しない。本明細書で開示する概念の特徴、それらの編成と動作方法の両方は、関連する利点とともに、添付の図に関連して考慮されるとき、以下の説明からよりよく理解されるだろう。各図は、特許請求の範囲の限定の定義としてではなく、例示および説明の目的で提供される。
【００１１】
[0012]  本開示の上記で列挙された特徴が詳細に理解されることができるように、上記で簡潔に要約されたより詳細な説明が、態様を参照することによって行われ得、それらのうちのいくつかが添付の図面に示される。しかしながら、添付の図面は、本開示のある特定の典型的な態様のみを示し、したがって、その範囲を限定するものと見なされるべきではなく、その理由は、説明が他の等しく有効な態様を認め得るからであることに留意されたい。異なる図面における同じ参照番号は、同じまたは同様の要素を識別し得る。
【図面の簡単な説明】
【００１２】
【図１】[0013]  図１は、本開示の様々な態様による、ワイヤレス通信ネットワークの一例を概念的に示すブロック図である。
【図２】[0014]  図２は、本開示の様々な態様による、ワイヤレス通信ネットワークにおいてユーザ機器（ＵＥ）と通信している基地局の一例を概念的に示すブロック図である。
【図３Ａ】[0015]  図３Ａは、本開示の様々な態様による、ワイヤレス通信ネットワークにおけるフレーム構造の一例を概念的に示すブロック図である。
【図３Ｂ】[0016]  図３Ｂは、本開示の様々な態様による、ワイヤレス通信ネットワークにおける例示的な同期通信階層を概念的に示すブロック図である。
【図４】[0017]  図４は、本開示の様々な態様による、ノーマルサイクリックプレフィックスを有する例示的なサブフレームフォーマットを概念的に示すブロック図である。
【図５】[0018]  図５は、本開示の様々な態様による、ＰＲＢバンドルサイズ選択の一例を示す図である。
【図６】[0019]  図６は、本開示の様々な態様による、例えばユーザ機器によって実行される例示的なプロセスを示す図である。
【詳細な説明】
【００１３】
[0020]  本開示の様々な態様が、添付の図面を参照しながら以下でより十分に説明される。しかしながら、本開示は、多くの異なる形態で具現化され得、本開示全体にわたって提示される任意の特定の構造または機能に限定されると解釈されるべきではない。むしろ、これらの態様は、本開示が徹底的かつ完全であり、本開示の範囲を当業者に十分に伝えるように提供される。本明細書の教示に基づいて、当業者は、本開示の範囲が、本開示の任意の他の態様から独立して実装されるか、または本開示の任意の他の態様と組み合わされて実装されるかにかかわらず、本明細書で開示される本開示の任意の態様をカバーするように意図されることを認識するべきである。例えば、本明細書に記載された任意の数の態様を使用して、装置が実装され得る、または方法が実施され得る。加えて、本開示の範囲は、本明細書に記載された本開示の様々な態様に加えて、またはそれらの態様以外に、他の構造、機能、または構造および機能を使用して実施されるそのような装置または方法をカバーすることが意図される。本明細書で開示される本開示の任意の態様は、請求項の１つまたは複数の要素によって具現化され得ることが理解されるべきである。
【００１４】
[0021]  様々な装置および技法に関して電気通信システムのいくつかの態様がこれより提示される。これらの装置および技法は、以下の詳細な説明において説明され、様々なブロック、モジュール、構成要素、回路、ステップ、プロセス、アルゴリズム、および／または同様のもの（まとめて「要素」と呼ばれる）によって添付の図面に示される。これらの要素は、ハードウェア、ソフトウェア、またはそれらの組合せを使用して実装され得る。そのような要素がハードウェアとして実装されるかソフトウェアとして実装されるかは、特定の用途およびシステム全体に課される設計制約に依存する。
【００１５】
[0022]  態様は、３Ｇおよび／または４Ｇワイヤレス技術に一般に関連する用語を使用して本明細書で説明され得るが、本開示の態様は、ＮＲ技術を含む５Ｇ以降などの他の世代ベースの通信システムにおいて適用されることができることに留意されたい。
【００１６】
[0023]  図１は、本開示の態様が実施され得るネットワーク１００を示す図である。ネットワーク１００は、ＬＴＥネットワーク、または５ＧまたはＮＲネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）および他のネットワークエンティティを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）および／または同様の名称でも呼ばれ得る。各ＢＳは、特定の地理的エリアに通信カバレッジを提供し得る。３ＧＰＰでは、「セル」という用語は、この用語が使用されるコンテキストに応じて、ＢＳのカバレッジエリアおよび／またはこのカバレッジエリアにサービス提供しているＢＳサブシステムを指すことができる。
【００１７】
[0024]  ＢＳは、マクロセル、ピコセル、フェムトセル、および／または別のタイプのセルに通信カバレッジを提供し得る。マクロセルは、比較的大きい地理的エリア（例えば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（例えば、住宅）をカバーし得、フェムトセルと関連するＵＥ（例えば、限定加入者グループ（ＣＳＧ）におけるＵＥ）による制限されたアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つまたは複数（例えば、３つ）のセルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では交換可能に使用され得る。
【００１８】
[0025]  いくつかの態様では、セルは必ずしも固定されたものではない可能性があり、セルの地理的エリアはモバイルＢＳのロケーションに従って移動し得る。いくつかの態様では、ＢＳは、直接物理接続、仮想ネットワークおよび／または任意の適切なトランスポートネットワークを使用する同様のもののような様々なタイプのバックホールインタフェースを通して、互いに、および／またはアクセスネットワーク１００中の１つまたは複数の他のＢＳまたはネットワークノード（図示せず）に相互接続され得る。
【００１９】
[0026]  ワイヤレスネットワーク１００はまた、中継局を含み得る。中継局は、アップストリーム局（例えば、ＢＳまたはＵＥ）からデータの送信を受信し、ダウンストリーム局（例えば、ＵＥまたはＢＳ）にデータの送信を送ることができるエンティティである。中継局はまた、他のＵＥのための送信を中継することができるＵＥであり得る。図１に示される例では、中継局１１０ｄは、ＢＳ１１０ａとＵＥ１２０ｄとの間の通信を容易にするために、マクロＢＳ１１０ａおよびＵＥ１２０ｄと通信し得る。中継局は、中継ＢＳ、中継基地局、中継器および／または同様の名称でも呼ばれ得る。
【００２０】
[0027]  ワイヤレスネットワーク１００は、異なるタイプのＢＳ、例えば、マクロＢＳ、ピコＢＳ、フェムトＢＳ、中継ＢＳ（relay BS）および／または同様のものを含む異種ネットワークであり得る。これらの異なるタイプのＢＳは、ワイヤレスネットワーク１００における干渉に対する異なる影響、および異なるカバレッジエリア、異なる送信電力レベルを有し得る。例えば、マクロＢＳは、高い送信電力レベル（例えば、５〜４０ワット）を有し得るが、一方ピコＢＳ、フェムトＢＳ、および中継ＢＳは、より低い送信電力レベル（例えば、０．１〜２ワット）を有し得る。
【００２１】
[0028]  ネットワークコントローラ１３０は、ＢＳのセットに結合し得、これらのＢＳのための調整および制御を提供し得る。ネットワークコントローラ１３０は、バックホールを介してＢＳと通信し得る。ＢＳはまた、例えば、ワイヤレスまたはワイヤラインバックホールを介して直接または間接的に、互いに通信し得る。
【００２２】
[0029]  ＵＥ１２０（例えば、１２０ａ、１２０ｂ、１２０ｃ）は、ワイヤレスネットワーク１００全体にわたって分散され得、各ＵＥは固定式またはモバイルであり得る。ＵＥは、アクセス端末、端末、移動局、加入者ユニット、局および／または同様の名称でも呼ばれ得る。ＵＥは、セルラーフォン（例えば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲーミングデバイス、ネットブック、スマートブック、ウルトラブック、医療デバイスまたは機器、バイオメトリックセンサ／デバイス、ウェアラブルデバイス（スマートウォッチ、スマート衣類、スマート眼鏡、スマートリストバンド、スマートジュエリー（例えば、スマートリング、スマートブレスレット））、エンターテインメントデバイス（例えば、音楽またはビデオデバイス、または衛星ラジオ）、車両構成要素またはセンサ、スマートメーター／センサ、工業製造機器、全地球測位システムデバイス、またはワイヤレスまたはワイヤード媒体を介して通信するように構成された任意の他の適切なデバイスであり得る。
【００２３】
[0030]  いくつかのＵＥは、マシンタイプ通信（ＭＴＣ：machine-type communication）あるいは発展型または拡張マシンタイプ通信（ｅＭＴＣ）ＵＥと見なされ得る。ＭＴＣおよびｅＭＴＣ  ＵＥは、例えば、基地局、別のデバイス（例えば、リモートデバイス）、または何らかの他のエンティティと通信し得る、センサ、メータ、モニタ、ロケーションタグおよび／または同様のもの等のリモートデバイス、ドローン、ロボットを含む。ワイヤレスノードは、例えば、ワイヤードまたはワイヤレス通信リンクを介したネットワーク（例えば、インターネットまたはセルラーネットワークなどのワイドエリアネットワーク）のためのまたはそれへの接続性を提供し得る。いくつかのＵＥは、モノのインターネット（ＩｏＴ）デバイスと見なされ得る、および／またはＮＢ−ＩｏＴ（狭帯域モノのインターネット）デバイスとして実装され得るように実装され得る。いくつかのＵＥは、顧客宅内機器（ＣＰＥ：Customer Premises Equipment）と見なされ得る。ＵＥ１２０は、プロセッサ構成要素、メモリ構成要素および／または同様のもの等の、ＵＥ１２０の構成要素を収容するハウジング内に含まれ得る。
【００２４】
[0031]  一般に、任意の数のワイヤレスネットワークが所与の地理的エリアに展開され得る。各ワイヤレスネットワークは、特定のＲＡＴをサポートし得、１つまたは複数の周波数上で動作し得る。ＲＡＴは、無線技術、エアインターフェースおよび／または同様の名称でも呼ばれ得る。周波数は、キャリア、周波数チャネル、および／または同様の名称でも呼ばれ得る。各周波数は、異なるＲＡＴのワイヤレスネットワーク間の干渉を回避するために、所与の地理的エリアにおいて単一のＲＡＴをサポートし得る。場合によっては、ＮＲまたは５Ｇ  ＲＡＴネットワークが展開され得る。
【００２５】
[0032]  いくつかの態様では、（例えば、ＵＥ１２０ａおよびＵＥ１２０ｅとして示される）２以上のＵＥ１２０は、（例えば、互いに通信するための媒介として基地局１１０を使用することなく）１つまたは複数のサイドリンクチャネルを使用して直接通信し得る。例えば、ＵＥ１２０は、ピアツーピア（Ｐ２Ｐ：peer-to-peer）通信、デバイスツーデバイス（Ｄ２Ｄ：device-to-device）通信、ビークルツーエブリシング（Ｖ２Ｘ：vehicle-to-everything）プロトコル（例えば、それはビークルツービークル（Ｖ２Ｖ：vehicle-to-vehicle）プロトコル、ビークルツーインフラストラクチャ（Ｖ２Ｉ：vehicle-to-infrastructure）プロトコルおよび／または同様のものを含み得る）、メッシュネットワークおよび／または同様のものを使用して通信し得る。この場合、ＵＥ１２０は、スケジューリング動作、リソース選択動作、および／または基地局１１０によって実行されるものとして本明細書の他の箇所で説明される他の動作を実行し得る。
【００２６】
[0033]  上述したように、図１は単なる例として提供される。他の例も可能であり、図１に関して説明したものと異なり得る。
【００２７】
[0034]  図２は、図１における基地局のうちの１つおよびＵＥのうちの１つであり得る、基地局１１０およびＵＥ１２０の設計２００のブロック図を示す。基地局１１０は、Ｔ個のアンテナ２３４ａ〜２３４ｔを備え得、ＵＥ１２０は、Ｒ個のアンテナ２５２ａ〜２５２ｒを備え得、ここで一般に、Ｔ≧１およびＲ≧１である。
【００２８】
[0035]  基地局１１０において、送信プロセッサ２２０は、１つまたは複数のＵＥのためのデータソース２１２からのデータを受け取り、ＵＥから受信されたチャネル品質インジケータ（ＣＱＩ）に少なくとも部分的に基づいて各ＵＥのための１つまたは複数の変調およびコーディング方式（ＭＣＳ）を選択し、ＵＥのために選択されたＭＣＳ（１つまたは複数の）に少なくとも部分的に基づいて各ＵＥのためのデータを処理（例えば、符号化および変調）し、すべてのＵＥにデータシンボルを提供し得る。送信プロセッサ２２０はまた、（例えば、半静的リソース区分情報（ＳＲＰＩ：semi-static resource partitioning information）および／または同様のもののための）システム情報および制御情報（例えば、ＣＱＩ要求、許可、上位レイヤシグナリングおよび／または同様のもの）を処理し、オーバーヘッドシンボルおよび制御シンボルを提供し得る。送信プロセッサ２２０はまた、基準信号（reference signal）（例えば、セル固有基準信号（ＣＲＳ））および同期信号（例えば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（例えば、プリコーディング（precoding））を実行し得、Ｔ個の変調器（ＭＯＤ）２３２ａ〜２３２ｔにＴ個の出力シンボルストリームを提供し得る。各変調器２３２は、出力サンプルストリームを取得するために、（例えば、ＯＦＤＭおよび／または同様のもののために）それぞれの出力シンボルストリームを処理し得る。各変調器２３２は、ダウンリンク信号を取得するために、出力サンプルストリームをさらに処理（例えば、アナログ変換、増幅、フィルタ処理、およびアップコンバート）し得る。変調器２３２ａ〜２３２ｔからのＴ個のダウンリンク信号は、それぞれ、Ｔ個のアンテナ２３４ａ〜２３４ｔを介して送信され得る。以下でより詳細に説明する様々な態様によれば、同期信号（synchronization signal）は、追加の情報を伝達するためにロケーション符号化（location encoding）を用いて生成されることができる。
【００２９】
[0036]  ＵＥ１２０において、アンテナ２５２ａ〜２５２ｒは、基地局１１０および／または他の基地局からダウンリンク信号を受信し得、受信された信号をそれぞれ復調器（ＤＥＭＯＤ）２５４ａ〜２５４ｒに提供し得る。各復調器２５４は、入力サンプルを取得するために、受信された信号を調整（例えば、フィルタ処理、増幅、ダウンコンバート、およびデジタル化）し得る。各復調器２５４は、受信されたシンボルを取得するために、（例えば、ＯＦＤＭおよび／または同様のもののために）入力サンプルをさらに処理し得る。ＭＩＭＯ検出器２５６は、すべてのＲ個の復調器２５４ａ〜２５４ｒから受信されたシンボルを取得し、適用可能な場合、受信されたシンボルに対してＭＩＭＯ検出を実行し、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）および／または同様のものを決定し得る。
【００３０】
[0037]  アップリンク上では、ＵＥ１２０において、送信プロセッサ２６４は、データソース２６２からのデータと、コントローラ／プロセッサ２８０からの制御情報（例えば、ＲＳＲＰ、ＲＳＳＩ、ＲＳＲＱ、ＣＱＩおよび／または同様のものを備えるレポートのための）とを受け取り得るおよび処理し得る。送信プロセッサ２６４はまた、１つまたは複数の基準信号のための基準シンボルを生成し得る。送信プロセッサ２６４からのシンボルは、適用可能な場合、ＴＸ  ＭＩＭＯプロセッサ２６６によってプリコーディングされ、（例えば、ＤＦＴ−ｓ−ＯＦＤＭ、ＣＰ−ＯＦＤＭおよび／または同様のもののために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合、ＭＩＭＯ検出器２３６によって検出され、ＵＥ１２０によって送られた復号されたデータおよび制御情報を取得するために受信プロセッサ２３８によってさらに処理され得る。受信プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０と通信し得る。ネットワークコントローラ１３０は、通信ユニット２９４と、コントローラ／プロセッサ２９０と、メモリ２９２とを含み得る。
【００３１】
[0038]  いくつかの態様では、ＵＥ１２０の１つまたは複数の構成要素は、ハウジング内に含まれ得る。基地局１１０のコントローラ／プロセッサ２４０、ＵＥ１２０のコントローラ／プロセッサ２８０、および／または図２の任意の他の構成要素（１つまたは複数の）は、本明細書の他の箇所でより詳細に説明されるように、ＰＲＢバンドルサイズ選択に関連する１つまたは複数の技法を実行し得る。例えば、基地局１１０のコントローラ／プロセッサ２４０、ＵＥ１２０のコントローラ／プロセッサ２８０、および／または図２の任意の他の構成要素（１つまたは複数の）は、例えば、図６のプロセス６００および／または本明細書で説明する他のプロセスの動作を実行または指示し得る。メモリ２４２および２８２は、それぞれ、基地局１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００３２】
[0039]  いくつかの態様では、ＵＥ１２０は、複数の選択可能な物理リソースブロック（ＰＲＢ）バンドルサイズのインジケーションを受信するための手段、複数の選択可能なＰＲＢバンドルサイズから選択されるべきＰＲＢバンドルサイズを示すＰＲＢバンドリングサイズインジケータを含まないダウンリンク制御情報（ＤＣＩ）を受信するための手段、ＤＣＩがＰＲＢバンドリングサイズインジケータを含まないにもかかわらず、複数の選択可能なＰＲＢバンドルサイズからＰＲＢバンドルサイズを選択するための手段および／または同様のものを含み得る。いくつかの態様では、そのような手段は、図２に関して説明したＵＥ１２０の１つまたは複数の構成要素を含み得る。
【００３３】
[0040]  上述したように、図２は単なる例として提供される。他の例も可能であり、図２に関して説明したものと異なり得る。
【００３４】
[0041]  図３Ａは、電気通信システム（例えば、ＮＲ）におけるＦＤＤのための例示的なフレーム構造（frame structure）３００を示す。ダウンリンクおよびアップリンクの各々のための送信タイムラインは、無線フレームのユニットに区分され得る。各無線フレームは、所定の持続時間を有し得、（例えば、０〜Ｚ−１のインデックスを有する）Ｚ（Ｚ≧１）個のサブフレームのセットへの区分であり得る。各サブフレームは、スロットのセットを含み得る（例えば、サブフレームごとに２個のスロットが図３Ａに示されている）。各スロットは、Ｌ個のシンボル期間のセットを含み得る。例えば、各スロットは、（例えば、図３Ａに示すような）７個のシンボル期間、１５個のシンボル期間および／または同様のものを含み得る。サブフレームが２個のスロットを含む場合、サブフレームは２Ｌ個のシンボル期間を含み得、ここで各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースおよび／または同様のものであり得る。
【００３５】
[0042]  いくつかの技法がフレーム、サブフレーム、スロット、および／または同様のものに関して本明細書で説明されるが、これらの技法は、５Ｇ  ＮＲにおいて「フレーム」、「サブフレーム」、「スロット」、および／または同様のもの以外の用語を使用して呼ばれ得る、他のタイプのワイヤレス通信構造に等しく適用され得る。いくつかの態様では、ワイヤレス通信構造は、ワイヤレス通信規格および／またはプロトコルによって定義される周期的時間限定通信ユニット（periodic time-bounded communication unit）を指し得る。追加または代替的に、図３Ａに示すものとは異なる構成のワイヤレス通信構造が使用され得る。
【００３６】
[0043]  ある特定の電気通信（例えば、ＮＲ）では、基地局は同期信号を送信し得る。例えば、基地局は、基地局によってサポートされるセルごとにダウンリンク上で１次同期信号（ＰＳＳ）、２次同期信号（ＳＳＳ）および／または同様のものを送信し得る。ＰＳＳおよびＳＳＳは、セル探索および捕捉（cell search and acquisition）のためにＵＥによって使用され得る。例えば、ＰＳＳは、シンボルタイミングを決定するためにＵＥによって使用され得、ＳＳＳは、基地局に関連する物理セル識別子とフレームタイミングとを決定するためにＵＥによって使用され得る。基地局はまた、物理ブロードキャストチャネル（ＰＢＣＨ）を送信し得る。ＰＢＣＨは、ＵＥによる初期アクセスをサポートするシステム情報など、いくつかのシステム情報を搬送し得る。
【００３７】
[0044]  いくつかの態様では、基地局は、図３Ｂに関して以下で説明されるように、複数の同期通信（例えば、ＳＳブロック）を含む同期通信階層（例えば、同期信号（ＳＳ：synchronization signal）階層）に従って、ＰＳＳ、ＳＳＳ、および／またはＰＢＣＨを送信し得る。
【００３８】
[0045]  図３Ｂは、同期通信階層の一例である例示的なＳＳ階層を概念的に示すブロック図である。図３Ｂに示されるように、ＳＳ階層は、複数のＳＳバースト（ＳＳバースト０〜ＳＳバーストＢ−１として識別され、ここでＢは、基地局によって送信され得るＳＳバーストの反復の最大数である）を含み得るＳＳバーストセットを含み得る。さらに示されるように、各ＳＳバーストは、１つまたは複数のＳＳブロック（ＳＳブロック０〜ＳＳブロック（ｂｍａｘ＿ＳＳ＿１）として識別される）を含み得、ここでｂｍａｘ＿ＳＳ＿１は、ＳＳバーストによって搬送され得るＳＳブロックの最大数である。いくつかの態様では、異なるＳＳブロックは、異なってビームフォーミングされ得る。ＳＳバーストセットは、ワイヤレスノードによって周期的に、例えば図３Ｂに示すようにＸミリ秒ごとに、送信され得る。いくつかの態様では、ＳＳバーストセットは、図３ＢにおいてＹミリ秒として示される、固定または動的長さを有し得る。
【００３９】
[0046]  図３Ｂに示されるＳＳバーストセットは、同期通信セットの一例であり、他の同期通信セットが、本明細書で説明される技法に関連して使用され得る。さらに、図３Ｂに示すＳＳブロックは同期通信の一例であり、本明細書で説明する技法に関して他の同期通信が使用され得る。
【００４０】
[0047]  いくつかの態様では、ＳＳブロックは、ＰＳＳ、ＳＳＳ、ＰＢＣＨ、および／または他の同期信号（例えば、３次同期信号（ＴＳＳ））および／または同期チャネルを搬送するリソースを含む。いくつかの態様では、複数のＳＳブロックがＳＳバーストに含まれ、ＰＳＳ、ＳＳＳ、および／またはＰＢＣＨは、ＳＳバーストの各ＳＳブロックにわたって同じであり得る。いくつかの態様では、単一のＳＳブロックがＳＳバーストに含まれ得る。いくつかの態様では、ＳＳブロックは、長さが少なくとも４つのシンボル期間であり得、ここで、各シンボルは、ＰＳＳ（例えば、１つのシンボルを占有する）、ＳＳＳ（例えば、１つのシンボルを占有する）、および／またはＰＢＣＨ（例えば、２つのシンボルを占有する）のうちの１つまたは複数を搬送する。
【００４１】
[0048]  いくつかの態様では、ＳＳブロックのシンボルは、図３Ｂに示されるように連続的である。いくつかの態様では、ＳＳブロックのシンボルは不連続である。同様に、いくつかの態様では、ＳＳバーストの１つまたは複数のＳＳブロックは、１つまたは複数のサブフレーム中に連続する無線リソース（例えば、連続するシンボル期間）中で送信され得る。追加または代替的に、ＳＳバーストの１つまたは複数のＳＳブロックは、非連続無線リソース中で送信され得る。
【００４２】
[0049]  いくつかの態様では、ＳＳバーストはバースト期間を有し得、それによって、ＳＳバーストのＳＳブロックは、バースト期間に従って基地局によって送信される。言い換えれば、ＳＳブロックは、各ＳＳバースト中に繰り返され得る。いくつかの態様では、ＳＳバーストセットは、バーストセット周期性を有し得、それによって、ＳＳバーストセットのＳＳバーストは、固定バーストセット周期性に従って基地局によって送信される。言い換えれば、ＳＳバーストは、各ＳＳバーストセット中に繰り返され得る。
【００４３】
[0050]  基地局は、ある特定のサブフレーム中で物理ダウンリンク共有チャネル（ＰＤＳＣＨ：physical downlink shared channel）上でシステム情報ブロック（ＳＩＢ：system information block）等のシステム情報を送信し得る。基地局は、サブフレームのＣ個のシンボル期間中に物理ダウンリンク制御チャネル（ＰＤＣＣＨ：physical downlink control channel）上で制御情報／データを送信し得、ここで、Ｂはサブフレームごとに構成可能であり得る。基地局は、各サブフレームの残りのシンボル期間中にＰＤＳＣＨ上でトラフィックデータおよび／または他のデータを送信し得る。
【００４４】
[0051]  上記のように、図３Ａおよび図３Ｂは例として提供される。他の例も可能であり、図３Ａおよび図３Ｂに関して説明したものと異なり得る。
【００４５】
[0052]  図４は、ノーマルサイクリックプレフィックス（normal cyclic prefix）を有する例示的なサブフレームフォーマット（subframe format）４１０を示す。利用可能な時間周波数リソースは、本明細書では物理リソースブロック（ＰＲＢ）とも呼ばれるリソースブロック（ＲＢ：resource block）に区分され得る。各リソースブロックは、１つのスロット中のサブキャリアのセット（a set to of subcarriers）（例えば、１２個のサブキャリア）をカバーし得、いくつかのリソース要素を含み得る。各リソース要素は、１つのシンボル期間において（例えば、時間において）１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨおよび／または同様のものを搬送するＳＳブロックの送信のために使用され得る。
【００４６】
[0053]  インタレース構造（interlace structure）は、ある特定の電気通信システム（例えば、ＮＲ）におけるＦＤＤのためのダウンリンクおよびアップリンクの各々のために使用され得る。例えば、０〜Ｑ−１のインデックスを有するＱ個のインタレースが定義され得、ここで、Ｑは、４、６、８、１０、または何らかの他の値に等しい可能性がある。各インタレースは、Ｑ個のフレームだけ離間されたサブフレームを含み得る。特に、インタレースｑは、サブフレームｑ、ｑ＋Ｑ、ｑ＋２Ｑ等を含み得、ここで、ｑ∈｛０，．，Ｑ−１｝である。
【００４７】
[0054]  ＵＥは、複数のＢＳのカバレッジ内に位置し得る。これらのＢＳのうちの１つが、ＵＥにサービス提供するために選択され得る。サービングＢＳは、受信信号強度、受信信号品質、経路損失および／または同様のもの等の様々な基準に少なくとも部分的に基づいて選択され得る。受信信号品質は、信号対雑音および干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ＢＳからの高い干渉を観測し得る支配的干渉シナリオにおいて動作し得る。
【００４８】
[0055]  本明細書で説明する例の態様はＮＲまたは５Ｇ技術に関連し得るが、本開示の態様は他のワイヤレス通信システムに適用可能であり得る。新無線（ＮＲ）は、（例えば、直交周波数分割多元接続（ＯＦＤＭＡ）ベースのエアインターフェース以外の）新しいエアインターフェースまたは（例えば、インターネットプロトコル（ＩＰ）以外の）固定トランスポートレイヤに従って動作するように構成された無線を指し得る。態様では、ＮＲは、アップリンク上でＣＰを用いたＯＦＤＭ（本明細書ではサイクリックプレフィックスＯＦＤＭまたはＣＰ−ＯＦＤＭと呼ばれる）および／またはＳＣ−ＦＤＭを利用し得、ダウンリンク上でＣＰ−ＯＦＤＭを利用し得る、およびＴＤＤを使用する半二重動作のためのサポートを含み得る。態様では、ＮＲは、例えば、アップリンク上でＣＰを用いたＯＦＤＭ（本明細書ではＣＰ−ＯＦＤＭと呼ばれる）および／または離散フーリエ変換拡散直交周波数分割多重（ＤＦＴ−ｓ−ＯＦＤＭ）を利用し得、ダウンリンク上でＣＰ−ＯＦＤＭを利用し得る、およびＴＤＤを使用する半二重動作のためのサポートを含み得る。ＮＲは、広帯域幅（例えば、８０メガヘルツ（ＭＨｚ）以上）をターゲットとする拡張モバイルブロードバンド（ｅＭＢＢ）サービス、高キャリア周波数（例えば、６０ギガヘルツ（ＧＨｚ））をターゲットとするミリメートル波（ｍｍＷ）、非後方互換性ＭＴＣ技法をターゲットとするマッシブＭＴＣ（ｍＭＴＣ）、および／または超高信頼低レイテンシ通信（ＵＲＬＬＣ：ultra reliable low latency communication）サービスをターゲットとするミッションクリティカル（mission critical）を含み得る。
【００４９】
[0056]  いくつかの態様では、１００ＭＨＺの単一のコンポーネントキャリア帯域幅がサポートされ得る。ＮＲリソースブロックは、０．１ミリ秒（ｍｓ）持続時間にわたって６０または１２０キロヘルツ（ｋＨｚ）のサブキャリア帯域幅を有する１２個のサブキャリアにわたり得る。各無線フレームは、１０ｍｓの長さを有する４０個のサブフレームを含み得る。したがって、各サブフレームは、０．２５ｍｓの長さを有し得る。各サブフレームは、データ送信のためのリンク方向（例えば、ＤＬまたはＵＬ）を示し得、各サブフレームのためのリンク方向は動的に切り替えられ得る。各サブフレームは、ＤＬ／ＵＬデータならびにＤＬ／ＵＬ制御データを含み得る。
【００５０】
[0057]  ビームフォーミングがサポートされ得、ビーム方向が動的に構成され得る。プリコーディングを用いたＭＩＭＯ送信もサポートされ得る。ＤＬにおけるＭＩＭＯ構成は、ＵＥごとに最大２つのストリームおよび最大８つのストリームのマルチレイヤＤＬ送信を用いて最大８つの送信アンテナをサポートし得る。ＵＥごとに最大２つのストリームを有するマルチレイヤ送信がサポートされ得る。複数のセルのアグリゲーションは、最大８つのサービングセル（serving cell）を用いてサポートされ得る。代替的に、ＮＲは、ＯＦＤＭベースのインターフェース以外の異なるエアインターフェースをサポートし得る。ＮＲネットワークは、中央ユニットまたは分散ユニット等のエンティティを含み得る。
【００５１】
[0058]  上記のように、図４は一例として提供される。他の例も可能であり、図４に関して説明したものと異なり得る。
【００５２】
[0059]  図５は、本開示の様々な態様による、ＰＲＢバンドルサイズ選択の例５００を示す図である。
【００５３】
[0060]  図５に示されるように、基地局１１０およびＵＥ１２０は、互いに通信し得る。いくつかの態様では、基地局１１０およびＵＥ１２０は、ＰＲＢバンドリングを使用して通信し得、ここで、チャネル推定を改善するために、同じプリコーディング行列が、ＰＲＢバンドル中のＰＲＢのすべてをプリコーディングするために使用される。例えば、基地局１１０は、同じプリコーディング行列を使用して複数のＰＲＢ（例えば、周波数において連続的なＰＲＢ、周波数において非連続的なＰＲＢおよび／または同様のもの）をプリコーディングし得、それらのＰＲＢをＵＥ１２０に送信し得る。ＵＥ１２０は、（例えば、各ＰＲＢが異なるプリコーディング行列を使用してプリコーディングされ得るときに各ＰＲＢに対して別個のチャネル推定を実行することと比較して）より高いチャネル推定精度を達成するために、ＰＲＢにわたってジョイントチャネル推定（joint channel estimation）を実行し得る。
【００５４】
[0061]  いくつかの態様では、基地局１１０は、（例えば、チャネル状態および／または同様のものに少なくとも部分的に基づいて）ＰＲＢバンドルに含まれるべきＰＲＢの数を表すＰＲＢバンドルサイズを構成し得、ＰＲＢバンドルサイズをＵＥ１２０に示し得る。例えば、基地局１１０は、基地局１１０と通信するためにＵＥ１２０によって使用される帯域幅部分（bandwidth part）ごとのＰＲＢバンドルサイズを構成し得る。いくつかの態様では、ＵＥ１２０は、無線リソース制御（ＲＲＣ：radio resource control）構成の前に、ブロードキャストＰＤＳＣＨ通信、マルチキャストＰＤＳＣＨ通信、および／またはユニキャストＰＤＳＣＨ通信のために（例えば、２つのＰＲＢの）デフォルトＰＲＢバンドルサイズ（default PRB bundle size）を使用し得る。しかしながら、（例えば、ユニキャストＰＤＳＣＨ通信のための）ＲＲＣ構成の後、ＵＥ１２０は、基地局１１０によって示されるＰＲＢバンドルサイズを使用し得る。
【００５５】
[0062]  例えば、基地局１１０は、ＲＲＣ構成において選択可能なＰＲＢバンドルサイズ（例えば、共通ＰＲＢバンドリングサイズセット）のグループを示し得、およびスケジュールされたＰＤＳＣＨ通信のためにＵＥ１２０によって使用されるべき、前記グループからの特定のＰＲＢバンドルサイズを示し得る。このようにして、基地局１１０およびＵＥ１２０は、ＲＲＣ構成中に構成された選択可能なＰＲＢバンドルサイズの共通セットを使用して、異なるシナリオ（例えば、チャネル相反性（channel reciprocity）、チャネル非相反性（channel non-reciprocity）、異なるＴｘまたはＲｘビームフォーミングシナリオ（beamforming scenario）および／または同様のもの）のための異なるＰＲＢバンドルサイズをサポートすることが可能であり得る。
【００５６】
[0063]  いくつかの態様では、ＵＥ１２０が動的ＰＲＢバンドリングをサポートする場合、基地局１１０は、ダウンリンク制御情報（ＤＣＩ）を使用して、ＲＲＣ構成されたＰＲＢバンドルサイズのグループから特定のＰＲＢバンドルサイズを示し得る。ＤＣＩにおいて示されるＰＲＢバンドルサイズは、ＤＣＩを介してスケジューリングされるＰＤＳＣＨ通信に適用され得る。ＰＲＢバンドルサイズのインジケーションは、ＰＲＢバンドリングサイズインジケータと呼ばれ得、ＤＣＩ中の１ビットインジケーションであり得る。しかしながら、基地局１１０およびＵＥ１２０は、異なるＤＣＩフォーマット（例えば、フォーマット１＿１、フォーマット１＿０および／または同様のもの）をサポートし得、１つまたは複数のＤＣＩフォーマットは、ＰＲＢバンドリングサイズインジケータを含まない可能性がある。例えば、フォールバック（fallback）ＤＣＩと呼ばれ得るＤＣＩフォーマット１＿０は、ＰＲＢバンドリングサイズインジケータを含まない可能性がある。追加または代替的に、ＰＲＢバンドリングサイズインジケータは、（例えば、帯域幅部分がフォーマット１＿１を有するＤＣＩの典型的なサイズよりも小さいＤＣＩサイズに適応するようにサイズ決定されており、ＤＣＩの１つまたは複数のフィールドが含まれないとき）フォーマット１＿１を有するＤＣＩに含まれない可能性がある。ＵＥ１２０が、そのようなフォールバックＤＣＩおよび／またはＰＲＢバンドリングサイズインジケータが含まれないＤＣＩを受信する場合、ＵＥ１２０は、フォールバックＤＣＩを介してスケジュールされたＰＤＳＣＨ通信のために、ＲＲＣ構成されたＰＲＢバンドルサイズのグループのうちのどのＰＲＢバンドルサイズが使用されるべきかを決定することができない可能性がある。本明細書で説明するいくつかの技法および装置は、ＰＲＢバンドリングサイズインジケータを含まないＤＣＩを受信するにもかかわらず、ＵＥ１２０がＰＲＢバンドルサイズを選択することを可能にする。このようにして、ＵＥ１２０および基地局１１０は、通信エラーを低減し得、ＰＲＢバンドリングに関連するチャネル推定改善（channel estimation improvement）を達成することが可能であり得る。
【００５７】
[0064]  参照番号５０５によって示されるように、基地局１１０が、複数の選択可能なＰＲＢバンドルサイズのインジケーションを送信し得、ＵＥ１２０が、それを受信し得る。いくつかの態様では、複数の選択可能なＰＲＢバンドルサイズのインジケーションは、ＲＲＣメッセージ（例えば、ＲＲＣ構成メッセージ、ＲＲＣ再構成メッセージおよび／または同様のもの）中に含まれ得る。追加または代替的に、基地局１１０は、ＰＲＢバンドリングがＵＥ１２０のために有効にされるか無効にされるかのインジケーションを送信し得、ＵＥ１２０は、（例えば、ＲＲＣメッセージ中でそれを）受信し得る。
【００５８】
[0065]  参照番号５１０によって示されるように、複数の選択可能なＰＲＢバンドルサイズは、プリコーディングリソースブロックグループ（ＰＲＧ：precoding resource block group）値の第１のセットと、ＰＲＧ値の第２のセットとを含み得る。ＰＲＧ値は、ＰＲＢバンドルサイズを示し得る。例えば、２のＰＲＧ値は、２のＰＲＢバンドルサイズを示し得（例えば、２つのＰＲＢが同じプリコーディング行列を使用してプリコーディングされ、ジョイントチャネル推定を使用して受信される）、４のＰＲＧ値は、４のＰＲＢバンドルサイズを示し得、「スケジュールされた帯域幅（scheduled bandwidth）」のＰＲＧ値は、特定のＤＣＩによってスケジュールされた帯域幅（例えば、ＤＣＩによってスケジュールされたすべてのＰＲＢを含む帯域幅）のサイズに対応するＰＲＢバンドルサイズを示し得る、および／または同様のものである。いくつかの態様では、ＰＲＧ値の第１のセットは、｛２、４、スケジュールされた帯域幅｝のグループから選択された１つのＰＲＧ値または２つのＰＲＧ値を含み得、ＰＲＧ値の第２のセットは、単一のＰＲＧ値（single PRG value）を含み得る。いくつかの態様では、ＰＲＧ値の第１のセットは、｛２｝、｛４｝、｛スケジュールされた帯域幅｝、｛２、スケジュールされた帯域幅｝、または｛４、スケジュールされた帯域幅｝を含み得、｛２、４｝を含まない可能性がある。
【００５９】
[0066]  参照番号５１５によって示されるように、いくつかの態様では、ＰＲＧ値の第１のセットは単一のＰＲＧ値を含み得、ＰＲＧ値の第２のセットは単一のＰＲＧ値を含み得る。この場合、もしＵＥ１２０が第１の値（例えば、０）を有するＰＲＢバンドリングサイズインジケータを含む（例えば、フォーマット１＿１の）ＤＣＩを受信するとしたら、ＵＥ１２０は、同じＤＣＩによってスケジュールされたＰＤＳＣＨ通信を受信するとき、第２のセットからの単一のＰＲＧ値（例えば、例５００では、４のＰＲＧ値）を使用するだろう。代替的に、もしＵＥ１２０が第２の値（例えば、１）を有するＰＲＢバンドリングサイズインジケータを含むＤＣＩを受信するとしたら、ＵＥ１２０は、同じＤＣＩによってスケジュールされたＰＤＳＣＨ通信を受信するとき、第１のセットからの単一のＰＲＧ値（例えば、例５００では、２のＰＲＧ値）を使用するだろう。しかしながら、もしＵＥ１２０がＰＲＢバンドリングサイズインジケータを含まない（例えば、フォーマット１＿０の、ＰＲＢバンドリングサイズインジケータが含まれないフォーマット１＿１の、および／または同様のものの）ＤＣＩを受信するとしたら、ＵＥ１２０は、どのＰＲＧ値を使用すべきかを決定することができない可能性がある。以下でより詳細に説明するように、本明細書で説明するいくつかの技法および装置は、ＵＥ１２０がそのようなＤＣＩを受信するときに使用されるべきＰＲＧ値をＵＥ１２０が決定することを可能にする。図５に示すＰＲＧ値は一例として提供されており、他のＰＲＧ値が使用され得る。
【００６０】
[0067]  参照番号５２０によって示されるように、いくつかの態様では、ＰＲＧ値の第１のセットは２つのＰＲＧ値を含み得、ＰＲＧ値の第２のセットは単一のＰＲＧ値を含み得る。この場合、もしＵＥ１２０が第１の値（例えば、０）を有するＰＲＢバンドリングサイズインジケータを含むＤＣＩを受信するとしたら、ＵＥ１２０は、第２のセットからの単一のＰＲＧ値（例えば、例５００では、２のＰＲＧ値）を選択するだろう。代替的に、もしＵＥ１２０が第２の値（例えば、１）を有するＰＲＢバンドリングサイズインジケータを含むＤＣＩを受信するとしたら、ＵＥ１２０は、第１のセットからの２つのＰＲＧ値のうちの１つを選択するだろう。例えば、ＤＣＩによってスケジュールされたＰＲＢが連続的であり、スケジュールされたＰＲＢのサイズがＵＥ１２０のために構成された帯域幅部分のサイズの半分よりも大きい場合、ＵＥ１２０は、（例えば、第１のセットの第２の値として示される）「スケジュールされた帯域幅」のＰＲＧ値を選択し得る。代替的に、ＤＣＩによってスケジュールされたＰＲＢが連続していない場合、および／またはスケジュールされたＰＲＢのサイズが帯域幅部分のサイズの半分以下である場合、ＵＥ１２０は、「スケジュールされた帯域幅」以外のＰＲＧ値（例えば、例５００において第１のセットの第１の値、すなわち４の値として示される）を選択し得る。しかしながら、もしＵＥ１２０がＰＲＢバンドリングサイズインジケータを含まないＤＣＩを受信するとしたら、ＵＥ１２０は、上記で示されたように、どのＰＲＧ値を使用すべきかを決定することができない可能性がある。以下でより詳細に説明するように、本明細書で説明するいくつかの技法および装置は、ＵＥ１２０がそのようなＤＣＩを受信するときに使用されるべきＰＲＧ値をＵＥ１２０が決定することを可能にする。図５に示すＰＲＧ値は一例として提供されており、他のＰＲＧ値が使用され得る。
【００６１】
[0068]  参照番号５２５によって示されるように、基地局１１０は、複数の選択可能なＰＲＢバンドルサイズから選択されるべきＰＲＢバンドルサイズを示すＰＲＢバンドリングサイズインジケータを含まないＤＣＩを送信し得、ＵＥ１２０は、それを受信し得る。例えば、ＤＣＩは、フォールバックＤＣＩ、１＿０のフォーマットを有するＤＣＩ、ＰＲＢバンドリングサイズインジケータを含まない１＿１のフォーマットを有するＤＣＩ、および／または同様のものを含み得る。
【００６２】
[0069]  参照番号５３０によって示されるように、ＵＥ１２０は、ＤＣＩがＰＲＢバンドリングサイズインジケータを含まないにもかかわらず、複数の選択可能なＰＲＢバンドルサイズからＰＲＢバンドルサイズを選択し得る。いくつかの態様では、ＵＥ１２０は、（例えば、３ＧＰＰ規格に少なくとも部分的に基づいて）ＵＥ１２０のメモリ中でハードコーディングされた情報（information hard coded）に少なくとも部分的に基づいてＰＲＢバンドルサイズを選択し得る。例えば、ＵＥ１２０は、デフォルトＰＲＢバンドルサイズを記憶し得、ＵＥ１２０がＰＲＢバンドリングサイズインジケータを含まないＤＣＩを受信するとき、デフォルトＰＲＢバンドルサイズを選択し得る。追加または代替的に、ＵＥ１２０は、ＵＥ１２０がＰＲＢバンドリングサイズインジケータを含まないＤＣＩを受信するとき、複数の選択可能なＰＲＢバンドルサイズから選択されるべきＰＲＢバンドルサイズ（例えば、ＰＲＧ値）を示すルール（rule）を記憶し得る。
【００６３】
[0070]  例えば、ＵＥ１２０がＰＲＢバンドリングサイズインジケータを含まないＤＣＩを受信するとき、ＵＥ１２０は、ＰＲＧ値の第１のセットからＰＲＧ値を選択し得る。この場合、第１のセットが単一のＰＲＧ値を含む場合、ＵＥ１２０は、第１のセットからの単一のＰＲＧ値を選択し得る。いくつかの態様では、第１のセットが２つのＰＲＧ値を含む場合、ＵＥ１２０は、２つのＰＲＧ値のうちの第１のＰＲＧ値（例えば、「スケジュールされた帯域幅」以外のＰＲＧ値、２のＰＲＧ値、４のＰＲＧ値および／または同様のもの）を選択し得る。代替的に、第１のセットが２つのＰＲＧ値を含む場合、ＵＥ１２０は、２つのＰＲＧ値のうちの第２のＰＲＧ値（例えば、「スケジュールされた帯域幅」のＰＲＧ値）を選択し得る。
【００６４】
[0071]  別の例として、ＵＥ１２０がＰＲＢバンドリングサイズインジケータを含まないＤＣＩを受信するとき、ＵＥ１２０は、ＰＲＧ値の第２のセットからＰＲＧ値を選択し得る。この場合、ＰＲＧ値の第２のセットは単一のＰＲＧ値を含むので、ＵＥ１２０は、第２のセットからの単一のＰＲＧ値を選択し得る。
【００６５】
[0072]  別の例として、ＵＥ１２０がＰＲＢバンドリングサイズインジケータを含まないＤＣＩを受信するとき、ＵＥ１２０は、デフォルトＰＲＧ値（default PRG value）（例えば、２のＰＲＧ値、４のＰＲＧ値および／または同様のもの）を選択し得る。別の例として、ＵＥ１２０がＰＲＢバンドリングサイズインジケータを含まないＤＣＩを受信するとき、ＵＥ１２０は、パラメータ（parameter）に少なくとも部分的に基づいて、（例えば、第１のセットおよび／または第２のセット中の）複数の示されたＰＲＧ値からＰＲＧ値を選択し得る。例えば、パラメータの値および／またはパラメータの１つまたは複数のビットは、第１のセット中のＰＲＧ値（例えば、第１のセット中の単一のＰＲＧ値、第１のセット中に含まれる２つのＰＲＧ値のうちの第１のＰＲＧ値、または第１のセット中に含まれる２つのＰＲＧ値のうちの第２のＰＲＧ値）または第２のセット中のＰＲＧ値（例えば、第１のセット中の単一のＰＲＧ値）にマッピングされ得る。パラメータは、例えば、ＤＣＩによって許可されたダウンリンクデータ（downlink data）に関連するスロットインデックス（slot index）（例えば、ダウンリンクデータを搬送する第１のスロットのスロットインデックス）、ＤＣＩによって許可されたダウンリンクデータに関連するシンボルインデックス（symbol index）（例えば、ダウンリンクデータを搬送する第１のシンボルのシンボルインデックス）、ＵＥ１２０に関連するＵＥ識別子（例えば、セル無線ネットワーク一時識別子（Ｃ−ＲＮＴＩ：cell radio network temporary identifier）および／または同様のもの）、ＵＥのサービングセルに関連するセルインデックス（cell index）および／または同様のものを含み得る。
【００６６】
[0073]  参照番号５３５によって示されるように、ＵＥ１２０は、選択されたＰＲＢバンドルサイズ（selected PRB bundle size）に従って、ダウンリンクデータおよび／またはアップリンクデータ（uplink data）と、関連する基準信号とを処理し得る。いくつかの態様では、ＵＥ１２０は、選択されたＰＲＢバンドルサイズに従ってダウンリンクデータと１つまたは複数の関連する基準信号とを処理し得る。例えば、ＵＥ１２０は、選択されたＰＲＢバンドルサイズを有するＰＲＢバンドルに含まれるＰＲＢについてジョイントチャネル推定を実行し得る。いくつかの態様では、ＵＥ１２０は、選択されたＰＲＢバンドルサイズに従って、アップリンクデータと１つまたは複数の関連する基準信号とをプリコーディングおよび／または送信し得る。例えば、ＵＥ１２０は、同じプリコーダ（precoder）を使用して、選択されたＰＲＢバンドルサイズを有するＰＲＢバンドルに含まれる複数のＰＲＢをプリコーディングし得る。このようにして、ＵＥ１２０および基地局１１０は、通信エラーを低減し得、ＵＥ１２０がＰＲＢバンドリングサイズインジケータを含まないＤＣＩを受信するにもかかわらず、ＰＲＢバンドリングに関連するチャネル推定改善を達成することが可能であり得る。
【００６７】
[0074]  上記のように、図５は一例として提供される。他の例も可能であり、図５に関して説明したものと異なり得る。
【００６８】
[0075]  図６は、本開示の様々な態様による、例えば、ＵＥによって実行される例示的なプロセス６００を示す図である。例示的なプロセス６００は、ＵＥ（例えば、ＵＥ１２０および／または同様のもの）がＰＲＢバンドルサイズ選択を実行する例である。
【００６９】
[0076]  図６に示すように、いくつかの態様では、プロセス６００は、複数の選択可能な物理リソースブロック（ＰＲＢ）バンドルサイズのインジケーションを受信すること（ブロック６１０）を含み得る。例えば、ＵＥは、図５に関して上記で説明したように、（例えば、アンテナ２５２、ＤＥＭＯＤ２５４、ＭＩＭＯ検出器２５６、受信プロセッサ２５８、コントローラ／プロセッサ２８０および／または同様のものを使用して）複数の選択可能なＰＲＢバンドルサイズのインジケーションを受信し得る。
【００７０】
[0077]  図６にさらに示されるように、いくつかの態様では、プロセス６００は、複数の選択可能なＰＲＢバンドルサイズから選択されるべきＰＲＢバンドルサイズを示すＰＲＢバンドリングサイズインジケータを含まないダウンリンク制御情報（ＤＣＩ）を受信すること（ブロック６２０）を含み得る。例えば、ＵＥは、（例えば、アンテナ２５２、ＤＥＭＯＤ２５４、ＭＩＭＯ検出器２５６、受信プロセッサ２５８、コントローラ／プロセッサ２８０および／または同様のものを使用して）図５に関連して上述したように、複数の選択可能なＰＲＢバンドルサイズから選択されるべきＰＲＢバンドルサイズを示すＰＲＢバンドリングサイズインジケータを含まないＤＣＩを受信し得る。
【００７１】
[0078]  図６にさらに示されるように、いくつかの態様では、プロセス６００は、ＤＣＩがＰＲＢバンドリングサイズインジケータを含まないにもかかわらず、複数の選択可能なＰＲＢバンドルサイズからＰＲＢバンドルサイズを選択すること（ブロック６３０）を含み得る。例えば、ＵＥは、図５に関して上記で説明したように、ＤＣＩがＰＲＢバンドリングサイズインジケータを含まないにもかかわらず、（例えば、コントローラ／プロセッサ２８０および／または同様のものを使用して）複数の選択可能なＰＲＢバンドルサイズからＰＲＢバンドルサイズを選択し得る。
【００７２】
[0079]  プロセス６００は、以下で説明する任意の単一の態様または態様の任意の組合せ等の、追加の態様を含み得る。
【００７３】
[0080]  いくつかの態様では、ＵＥは、選択されたＰＲＢバンドルサイズに従ってダウンリンクデータと１つまたは複数の関連する基準信号とを処理し得る。いくつかの態様では、ＵＥは、選択されたＰＲＢバンドルサイズに従って、アップリンクデータと１つまたは複数の関連する基準信号とをプリコーディングし、送信し得る。いくつかの態様では、ＤＣＩは、フォーマット１＿０を有するＤＣＩ、またはフォーマット１＿１を有するＤＣＩのうちの１つであり、ここでＰＲＢバンドリングサイズインジケータは、フォーマット１＿１を有するＤＣＩに含まれない。いくつかの態様では、ＰＲＢバンドルサイズは、ＵＥのメモリ中でハードコーディングされた情報に少なくとも部分的に基づいて選択される。いくつかの態様では、情報は、デフォルトＰＲＢバンドルサイズを示し、ここでＰＲＢバンドルサイズを選択することは、デフォルトＰＲＢバンドルサイズを選択することを備える。
【００７４】
[0081]  いくつかの態様では、複数の選択可能なＰＲＢバンドルサイズは、プリコーディングリソースブロックグループ（ＰＲＧ）値の第１のセットとＰＲＧ値の第２のセットとを含む。いくつかの態様では、第１のセットは単一のＰＲＧ値を含み、第２のセットは単一のＰＲＧ値を含む。いくつかの態様では、ＵＥは、第１のセットからの単一のＰＲＧ値、第２のセットからの単一のＰＲＧ値、またはデフォルトＰＲＧ値のうちの１つとしてＰＲＢバンドルサイズを選択する。いくつかの態様では、ＵＥは、パラメータに少なくとも部分的に基づいて、第１のセットからの単一のＰＲＧ値または第２のセットからの単一のＰＲＧ値のいずれかを選択する。いくつかの態様では、パラメータは、ＤＣＩによって許可されたダウンリンクデータに関連するスロットインデックス、ＤＣＩによって許可されたダウンリンクデータに関連するシンボルインデックス、ＵＥに関連するセル無線ネットワーク一時識別子（Ｃ−ＲＮＴＩ）、ＵＥのサービングセルに関連するセルインデックス、またはそれらの何らかの組合せのうちの少なくとも１つを含む。
【００７５】
[0082]  いくつかの態様では、第１のセットは２つのＰＲＧ値を含み、第２のセットは単一のＰＲＧ値を含む。いくつかの態様では、ＵＥは、第２のセットからの単一のＰＲＧ値、第１のセットからの２つのＰＲＧ値のうちの第１のＰＲＧ値、第１のセットからの２つのＰＲＧ値のうちの第２のＰＲＧ値、またはデフォルトＰＲＧ値のうちの１つとしてＰＲＢバンドルサイズを選択する。いくつかの態様では、第１のＰＲＧ値は、２または４のＰＲＢバンドルサイズを示す。いくつかの態様では、第２のＰＲＧ値は、ＤＣＩによってスケジュールされるスケジュールされた帯域幅のサイズに対応するＰＲＢバンドルサイズを示す。
【００７６】
[0083]  図６はプロセス６００の例示的なブロックを示すが、いくつかの態様では、プロセス６００は、追加のブロック、より少ないブロック、異なるブロック、または図６に示すものとは異なる構成のブロックを含み得る。追加または代替的に、プロセス６００のブロックのうちの２以上が並列に実行され得る。
【００７７】
[0084]  上記の開示は、例示および説明を提供するが、網羅的であること、または態様を開示された厳密な形態に限定することを意図するものではない。上記の開示を踏まえて修正および変形が可能であり、または態様の実施から修正および変形を得ることができる。
【００７８】
[0085]  本明細書で使用する構成要素という用語は、ハードウェア、ファームウェア、またはハードウェアとソフトウェアの組合せとして広く解釈されるように意図されている。本明細書で使用する場合、プロセッサは、ハードウェア、ファームウェア、またはハードウェアとソフトウェアの組合せで実装される。
【００７９】
[0086]  いくつかの態様が、しきい値に関して本明細書で説明される。本明細書で使用される場合、閾値を満たすことは、値が、閾値よりも大きい、閾値以上である、閾値未満である、閾値以下である、閾値に等しい、閾値に等しくないおよび／または同様のことを指し得る。
【００８０】
[0087]  本明細書で説明するシステムおよび／または方法は、ハードウェア、ファームウェア、またはハードウェアとソフトウェアの組合せの異なる形態で実装され得ることが明らかになろう。これらのシステムおよび／または方法を実装するために使用される実際の専用制御ハードウェアまたはソフトウェアコードは、態様を限定しない。したがって、システムおよび／または方法の動作および挙動は、特定のソフトウェアコードを参照することなく本明細書で説明されており、ソフトウェアおよびハードウェアは、本明細書の説明に少なくとも部分的に基づいてシステムおよび／または方法を実装するように設計され得ることを理解されたい。
【００８１】
[0088]  特徴の特定の組合せが特許請求の範囲に記載され、および／または本明細書に開示されているが、これらの組合せは、可能な態様の開示を限定するものではない。実際、これらの特徴の多くは、具体的に特許請求の範囲に記載されていない、および／または本明細書に開示されていない方法で組み合わせられ得る。以下に列挙される各従属請求項は、１つの請求項のみに直接的に従属し得るが、可能な態様の開示は、各従属請求項を、請求項セット内のあらゆる他の請求項と組み合わせて含む。項目のリスト「のうちの少なくとも１つ」を指すフレーズは、単一のメンバーを含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）をカバーすることが意図される。
【００８２】
[0089]  本明細書で使用されるいずれの要素、動作、または命令も、そのように明示的に説明されない限り、重要または不可欠であると解釈されるべきではない。また、本明細書で使用される場合、冠詞「ａ」および「ａｎ」は、１つまたは複数の項目を含むことが意図され、「１つまたは複数の」と交換可能に使用され得る。さらに、本明細書で使用する「セット」および「グループ」という用語は、１つまたは複数の項目（例えば、関連項目、非関連項目、関連項目と非関連項目の組合せおよび／または同様のもの）を含むことが意図され、「１つまたは複数の」と交換可能に使用され得る。１つの項目のみが意図される場合、用語「１つの」または同様の言語が使用される。また、本明細書で使用される場合、「有する（has）」、「有する（have）」、「有する（having）」および／または同様の用語は、オープンエンドの用語であることが意図される。さらに、「に基づいて（based on）」というフレーズは、別段の明示的な記述がない限り、「に少なくとも部分的に基づいて（based, at least in part, on）」を意味することが意図される。
【図１】
2021514148.tif 000003
【図２】
2021514148.tif 000004
【図３Ａ】
2021514148.tif 000005
【図３Ｂ】
2021514148.tif 000006
【図４】
2021514148.tif 000007
【図５】
2021514148.tif 000008
【図６】
2021514148.tif 000009
【国際調査報告】
2021514148.tif 000010
2021514148.tif 000011